【事件の表示】
　商願２００２−　１９０２９拒絶査定不服審判事件について、次のとおり審決する。
【結　論】
　本件審判の請求は、成り立たない。
【理　由】
第１．本願商標　
　本願商標は、「ワカメペプチド」の文字を横書きしてなり、第２９類「エキス醤油，スープ，たれ，ソース，ドレッシング」及び第３０類「飲料，強化剤，酸化防止剤，調味料」を指定商品として、平成１４年２月２１日に登録出願されたものである。
　
第２．原査定の拒絶理由の要点
　原査定は、以下の１．及び２．のとおり認定、判断し、本願を拒絶したものである。 
１．本願商標は、「ワカメペプチド」の文字を普通に用いられる方法で表示してなるところ、株式会社岩波書店が発行した「広辞苑」第五版によれば、「ワカメ」の文字は、「海産の褐藻。」の意味を有し、「ペプチド【ｐｅｐｔｉｄｅ】」の文字は、「ペプチド結合によってアミノ酸二個以上が結合した化合物。」の意味を有し、丸善株式会社が発行した「丸善食品総合辞典」の「蛋白質」の項によれば、「アミノ酸どうしが結合したものペプチド（ｐｅｐｔｉｄｅ）という。」旨記載されており、ペプチドを添加したスープが存在することも知られているから、本願商標を指定商品中「前記文字に照応する商品（例えば、エキス醤油，スープ，たれ，ソース，ドレッシング，飲料，強化剤，酸化防止剤，調味料）」について使用するときは、単に前記商品がワカメの蛋白質をアミノ酸どうしが結合した状態（すなわち、ペプチド状態）にし、消化しやすくしたものであること、すなわち、商品の品質、原材料を表示したものと理解されるに止まり、自他商品の識別標識としての機能を果たさないものと判断する。したがって、本願商標は、商標法第３条第１項第３号に該当し、前記商品以外の商品に使用するときは、商品の品質の誤認を生じさせるおそれがあり、同法第４条第１項第１６号に該当する。
２．（１）本願は、政令で定める商品及び役務の区分第２９類及び第３０類に属さない商品を包含している。したがって、本願は、商標法第６条第２項の要件を具備しない。
（２）指定商品は、商標とともに権利範囲を定めるものであるから、その内容及び範囲は明確でなければならないところ、この商標登録出願に係る指定商品中、第２９類「エキス醤油，スープ」及び第３０類「飲料，強化剤」は、その内容及び範囲を明確に指定したものとは認められない。また、前記指定商品が不明確でその内容及び範囲が把握できないことから、政令で定める商品及び役務の区分に従って各類の商品を指定したものと認めることもできない。したがって、本願は、商標法第６条第１項及び第２項の要件を具備しない。
　
第３．当審の判断
１．商標法第３条第１項第３号及び同法第４条第１項第１６号について
　本願商標は、前記のとおり「ワカメペプチド」の文字よりなるところ、その構成中、「ワカメ」の文字は、本願指定商品の原材料である海藻のひとつである「ワカメ」を容易に認識するものであり、「ペプチド」の文字は、「ペプチド結合によってアミノ酸2個以上が結合した化合物。[株式会社岩波書店 広辞苑第五版]」と記載がある。
　また、高齢化社会の到来により健康に関する関心が高まっているところ、海藻の成分についても注目され、海藻に含まれるたんぱく質から取り出すペプチドが血圧低下等に有効であり、ワカメに含まれるたんぱく質を分解して取り出した物質を「ワカメペプチド」と称し、ワカメペプチド含有の商品が製造、販売されている事実が認められる。
　そして、上記した実情は、以下の各種新聞記事の記載、及びインターネットの情報からも裏付けられる。
（１）１９９６．０２．２４　共同通信には、「ネットワーク経済情報（九州）焼酎インターネット（鹿児島）／ペプチド飲料を通信販売（北九州）」の見出しのもと「□▽ペプチド飲料を通信販売／山口県下関市のカタノ物産・・・は、海藻、貝、魚の海洋生物のタンパク質をアミノ酸が二−三個つながっただけのペプチドに分解し、牛乳の脂肪分などを除いた乳清を加えた健康飲料水・・・を開発。」との記載。
（２）２００１．０７．１８　日本食糧新聞には、「白子『毎日海菜　海苔ペプチド』に注目、体験モニターも募集」との見出しのもと「海苔ペプチドとは、海苔に多く含まれるタンパク質を酵素分解でできた物質。」との記載。
（３）２００４．１２．０１　日本食糧新聞には、「経営：理研ビタミン・堺美保社長に聞く　１７年度連結売上高７７０億円目指す」の見出しのもと「来年の１月に発売する『わかめペプチドゼリー・りんご風味』は特定保健用食品（特保）の許可を受けた。・・・わかめに含まれるタンパク質を分解して取り出す物質『わかめペプチド』がＡＣＥの働きを阻害する。わかめペプチド自体は苦く、そのうえ塩分の除去が難しかった。わかめペプチド配合の血圧抑制機能食品を、加工食品に利用、商品化したのは当社が初めてだ。」との記載。
（４）http://www.fsc.go.jp/senmon/sinkaihatu/s-dai8/sinkaihatu8-gijiroku.pdfのホームページには、「食品安全委員会新開発食品専門調査会／第８回会合議事録」の見出しのもと４頁には「基本的には商品パッケージにワカメペプチド等、ワカメが含まれているということが容易に理解できるような表示になっているということで問題はないのではないか。」との記載。
（５）http://www.oishasan.co.jp/oisha/topics/rireki/05_03_11.htmlのホームページには、「ＴＯＰＩＣＳ＝血圧抑える特保食品＝」との見出しのもと「おやつ感覚で食べられる理研ビタミンの『わかめペプチド・ゼリー・りんご風味』が加わった。開発から４年余、主原料のワカメと格闘しながら商品化に導いたのは同社・・・カリウムや食物繊維などのほか、ワカメペプチドに血圧上昇を抑制する働きがあることは既に分かっていた。血圧は血管や血中に存在する酵素の１種『アンジオテンシン変換酵素(ＡＣＥ)』が血管を収縮させることで上昇する。ワカメペプチドはＡＣＥの働きを阻害するという。」との記載。
（６）http://www.kantei.go.jp/jp/singi/tiikisaisei/osirase/040722/04.pdfのホームページには、「釜石市地域再生計画／平成１６年６月３０日」との見出しのもと「水産加工廃棄物リサイクル事業」「【製品サンプル】ワカメペプチド・ＤＨＡ／（原料：ワカメ等）」の記載。
（７）http://www.rda.co.jp/lib/tokuho.htmlのホームページには、「特定保健食品（トクホ）」の見だしのもと「許可表示内容」が「血圧が高めの方に適する食品」として「保健機能成分（関与成分）」が「カゼインドデカペプチド、かつお節オリゴペプチド、サーデンペプチド、ラクトトリペプチド、杜仲葉配糖体、のりペプチド、ワカメペプチド、ゴマペプチド」との記載。
　そうすると、「ワカメペプチド」の文字（語）からは、「ワカメのタンパク質を分解して取り出したペプチド」であると容易に理解、認識させるに止まるというのが相当である。
　してみれば、本願商標は、「ワカメのタンパク質を分解して取り出したペプチド入りの商品」に使用したときは、商品の品質、原材料を表示するにすぎないものと認められ、前記以外の商品に使用するときは、商品の品質について誤認を生じさせるおそれがあるものといわざるを得ない。
２．商標法第６条第１項及び同第２項について
　本願の指定商品中、第２９類「たれ，ソース，ドレッシング」は、商標法施行規則６条別表から、第３０類に属する調味料に含まれる商品、及び第３０類「酸化防止剤」は、同別表から、第１類に属する化学剤に含まれる商品と認められる。
　また、本願の指定商品中、第２９類「エキス醤油」は、例えば「肉エキス」を内容とするものであれば、第２９類に属し、或いは調味料の範疇であれば、第３０類に属するとも考えられるものであり、また、第３０類「飲料，強化剤」は、例えば「茶，コーヒー及びココア」であれば、第３０類に属し、「清涼飲料，果実飲料」であれば、第３２類に属する商品と考えられるものであり、「食品強化剤」であれば、第５類に属する商品というように、その表現は明確でなく、商品の表示としても適切でなく、政令で定める商品及び役務の区分に従って第２９類及び第３０類の商品を指定したものと認めることができず、結局、本願は、商標法第６条第１項及び第２項の要件を具備しないものといわざるを得ない。
　したがって、本願商標が商標法第３条第１項第３号、同法第４条第１項第１６号、同法第６条第１項及び第２項に該当するとした原査定は、妥当であって、取り消すことはできない。
　よって、結論のとおり審決する。